【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
像担持体に形成された潜像を現像する現像装置において、
回転可能に設けられ、現像剤を担持する現像剤担持体と、
現像剤を収容するための現像剤収容室を形成する現像容器と、
前記現像容器に設けられ前記現像剤担持体に担持される現像剤の量を規制する現像剤規制部と、
前記現像剤担持体を支持し、前記現像剤規制部に対して前記現像剤担持体を移動可能とする支持部と、
前記現像剤担持体を、前記現像剤規制部に向けて加圧するための加圧部材と、
を備え、
前記現像剤担持体に対する前記現像剤規制部の接触部は、前記加圧部材による加圧方向においてその下流側に前記現像容器との隙間を設けずに、前記現像容器に対して固定されることを特徴とする現像装置。
【請求項２】
前記現像剤規制部は、前記現像容器と一体的に構成されることを特徴とする請求項１に記載の現像装置。
【請求項３】
前記現像剤規制部は前記現像容器の固定部に固定された部材であって、前記現像剤担持体と前記固定部の間に挟まれることを特徴とする請求項１に記載の現像装置。
【請求項４】
前記現像剤規制部は、前記現像剤収容室よりも、帯電系列において現像剤の正規極性とは逆極性側にあることを特徴とする請求項１に記載の現像装置。
【請求項５】
前記現像剤担持体の長手方向における前記現像剤規制部の端部は、前記現像剤規制部の中央部よりも、帯電系列において現像剤の正規極性側にあることを特徴とする請求項４に記載の現像装置。
【請求項６】
前記現像装置は、
前記加圧部材の加圧方向において前記現像剤担持体よりも下流側に位置し、前記現像剤担持体の表面と接触する移動規制部を備え、
前記移動規制部は、前記現像剤担持体が、前記現像剤担持体の軸線と直交する平面において前記加圧方向と交差する方向に移動するのを規制することを特徴とする請求項１に記載の現像装置。
【請求項７】
前記移動規制部は、前記現像剤担持体の周面に沿って曲がった曲面部を有し、前記曲面部が前記現像剤担持体と接触することを特徴とする請求項６に記載の現像装置。
【請求項８】
前記現像剤担持体はその回転方向において、前記現像剤規制部との接触部よりも上流側と、前記現像剤規制部との接触部よりも下流側とで、前記移動規制部と接触することを特徴とする請求項６に記載の現像装置。
【請求項９】
前記現像剤担持体は、前記現像剤を担持するための円柱状の担持部と、前記担持部よりも径が小さく、前記支持部に回転可能に支持される軸部を有し、
前記加圧部材は前記支持部を介して前記現像剤担持体を前記現像剤規制部に加圧することを特徴とする請求項１に記載の現像装置。
【請求項１０】
前記支持部は、前記像担持体が前記現像剤担持体を押圧する方向とは交差する方向に、前記現像剤担持体をスライド可能とすることを特徴とする請求項１に記載の現像装置。
【請求項１１】
画像形成装置の装置本体に着脱可能なプロセスカートリッジにおいて、
潜像が形成される像担持体と、
請求項１乃至１０のいずれか１項に記載の現像装置と、
を備えることを特徴とするプロセスカートリッジ。
【請求項１２】
前記加圧部材が前記現像剤担持体に加える力をＦ１、前記像担持体が前記現像剤担持体に加える力をＦ２とし、前記Ｆ１が作用する方向と前記Ｆ２が作用する方向とが成す角度をθとしたとき、
Ｆ１＋Ｆ２×ｃｏｓθ＞０
を満たすことを特徴とする請求項１１に記載のプロセスカートリッジ。
【請求項１３】
像担持体に形成された潜像を現像する現像装置において、
回転可能に設けられ、現像剤を担持する現像剤担持体と、
現像剤を収容するための現像剤収容室を形成する現像容器と、
前記現像容器に設けられ前記現像剤担持体に担持される現像剤の量を規制する現像剤規制部と、
を備え、
前記現像容器は、前記現像剤規制部の一部を挟持し、前記現像容器と前記現像剤規制部が一体的に構成されていることを特徴とする現像装置。
【請求項１４】
前記現像剤規制部は、金属シートであることを特徴とする請求項１３に記載の現像装置。
【請求項１５】
画像形成装置の装置本体に着脱可能なプロセスカートリッジにおいて、
潜像が形成される像担持体と、
回転可能に設けられ、前記潜像を現像するための現像剤を担持する現像剤担持体と、
現像剤を収容するための現像剤収容室を形成する現像容器と、
前記現像容器に設けられ前記現像剤担持体に担持される現像剤の量を規制する現像剤規制部と、
前記現像剤担持体を支持し、前記現像剤規制部に対して前記現像剤担持体を移動可能とする支持部と、
前記現像剤担持体を、前記現像剤規制部に向けて加圧するための加圧部材と、
を備え、
前記現像容器は、前記現像剤規制部の一部を挟持し、前記現像容器と前記現像剤規制部が一体的に構成されていることを特徴とするプロセスカートリッジ。
【請求項１６】
前記現像剤規制部は、金属シートであることを特徴とする請求項１５に記載のプロセスカートリッジ。
【請求項１７】
像担持体に形成された潜像を現像する現像装置の製造方法であって、
回転可能に設けられ、現像剤を担持する現像剤担持体と、
現像剤を収容するための現像剤収容室を形成する現像容器と、
前記現像容器に設けられ前記現像剤担持体に担持される現像剤の量を規制する現像剤規制部と、
を前記現像装置は備え、
前記現像容器は、前記現像剤規制部の一部を挟持するようにして、前記現像容器と前記現像剤規制部は、一体的に構成されていることを特徴とする現像装置の製造方法。
【請求項１８】
前記現像剤規制部は、インサート成型を用いて前記現像容器と一体的に構成されることを特徴とする請求項１７に記載の現像装置の製造方法。
【請求項１９】
前記現像剤規制部は、金属シートであることを特徴とする請求項１８に記載の現像装置の製造方法。
【請求項２０】
前記現像規制部材は、二色成形を用いて前記現像容器と一体的に構成されることを特徴とする請求項１７に記載の現像装置の製造方法。
【請求項２１】
前記現像剤規制部は、前記現像容器を形成後、前記現像容器と金型の間に形成することを特徴とする請求項２０に記載の現像装置の製造方法。
【請求項２２】
画像形成装置の装置本体に着脱可能なプロセスカートリッジの製造方法であって、
潜像が形成される像担持体と、
回転可能に設けられ、前記潜像を現像するための現像剤を担持する現像剤担持体と、
現像剤を収容するための現像剤収容室を形成する現像容器と、
前記現像容器に設けられ前記現像剤担持体に担持される現像剤の量を規制する現像剤規制部と、
前記現像剤担持体を支持し、前記現像剤規制部に対して前記現像剤担持体を移動可能とする支持部と、
前記現像剤担持体を、前記現像剤規制部に向けて加圧するための加圧部材と、
を前記プロセスカートリッジは備え、
前記現像容器は、前記現像剤規制部の一部を挟持するようにして、前記現像容器と前記現像剤規制部は、一体的に構成されていることを特徴とするプロセスカートリッジの製造方法。
【請求項２３】
前記現像剤規制部は、インサート成型を用いて前記現像容器と一体的に構成されることを特徴とする請求項２２に記載のプロセスカートリッジの製造方法。
【請求項２４】
前記現像剤規制部は、金属シートであることを特徴とする請求項２３に記載のプロセスカートリッジの製造方法。
【請求項２５】
前記現像規制部材は、二色成形を用いて前記現像容器と一体的に構成されることを特徴とする請求項２２に記載のプロセスカートリッジの製造方法。
【請求項２６】
前記現像剤規制部は、前記現像容器を形成後、前記現像容器と金型の間に形成することを特徴とする請求項２５に記載のプロセスカートリッジの製造方法。